(57)【要約】【課題】誤動作や不作動を低減し、安全な可燃性冷媒空気調和機の冷媒漏洩検知装置を提供する。【解決手段】本可燃性冷媒空気調和機の冷媒漏洩検知装置は、室内機２の吹出口２ａに設置した第１の冷媒漏洩検知手段６と、床面７等に設置し、第１の冷媒漏洩検知手段６と同等の検知ガス規定量を設定した第２の冷媒漏洩検知手段８と、これらからの検知信号を受信する受信手段９を有し、第１及び第２冷媒漏洩検知手段６、８における検知ガス量が規定量を上回ったときに送信する検知信号に基づいて、冷媒漏洩の発生を警告する冷媒漏洩警報手段９が設けられている。【選択図】  図１
2005016822.tif 000002
【特許請求の範囲】
【請求項１】
比重の重い可燃性冷媒あるいは、可燃性冷媒を主成分とした冷媒を用いた可燃性冷媒空気調和機の冷媒漏洩検知装置において、室内機の吹出口に設置した第１の冷媒漏洩検知手段と、室内機下方の床面等に設置し、前記第１の冷媒漏洩検知手段と同等の検知ガス規定量を設定した第２の冷媒漏洩検知手段と、前記第１及び第２冷媒漏洩検知手段からの検知信号を受信する受信手段を有し、前記第１及び第２冷媒漏洩検知手段における検知ガス量が規定量を上回ったときに送信する検知信号に基づいて、冷媒漏洩の発生を警告する冷媒漏洩警報手段が、空気調和機の使用空間に設置されることを特徴とする可燃性冷媒空気調和機の冷媒漏洩検知装置。
【請求項２】
請求項１に記載の可燃性冷媒空気調和機の冷媒漏洩検知装置において、一方の漏洩検知手段が冷媒の漏洩を検知し、他方の漏洩検知手段が冷媒漏洩を検知していない場合に、前記一方の漏洩検知手段が検知した漏洩ガス積算量が既定値以上に達したとき、もしくは既定時間以上ガスを検知した時に検知信号を発信し、冷媒漏洩警報手段を作動させることを特徴とする可燃性冷媒空気調和機の冷媒漏洩検知装置。
【請求項３】
請求項１または２に記載の可燃性冷媒空気調和機の冷媒漏洩検知装置において、前記第１の冷媒漏洩検知手段が検知信号を送信する漏洩ガス規定量を可変にしたことを特徴とする可燃性冷媒空気調和機の冷媒漏洩検知装置。
【発明の詳細な説明】
【０００１】
【発明の属する技術分野】
本発明は可燃性冷媒を用いた空気調和機の冷媒漏洩検知装置に係わり、特に室内機の筐体内と筐体外に漏洩検知手段を設けた可燃性冷媒を用いた空気調和機の冷媒漏洩検知装置に関する。
【０００２】
【従来の技術】
可燃性冷媒を用いた空気調和機において、従来、冷媒漏洩検知手段は室内機筐体の下部または吹出口近傍に設置されており、室内機熱交換器において冷媒が漏洩した際に素早い検知が可能である（特許文献１参照）。
【０００３】
しかしながら、特許文献１に記載の空気調和機は、室内機筐体近傍にガスコンロなど、他の可燃性ガス発生装置が設置される場合には、上記冷媒漏洩検知手段が、他の可燃性ガス発生装置から発生したガスを検知して誤作動を生じるおそれがあり、安全上問題がある。また、周辺機器のノイズにより冷媒漏洩検知手段の誤作動を生じるおそれもある。さらに、室内熱交換器から漏洩した冷媒が、室内機筐体の吸込口や筐体と前面パネルとの隙間から漏洩し、冷媒漏洩検知手段が作動しない可能性も考えられ、安全上問題がある。
【０００４】
【特許文献１】
特開２００２−９８３９１号公報（段落番号［００２４］、［００２８］、［００２９］、図１）
【０００５】
【発明が解決しようとする課題】
本発明は上述した事情を考慮してなされたもので、誤動作や不作動を低減し、安全な可燃性冷媒空気調和機の冷媒漏洩検知装置を提供することを目的とする。
【０００６】
【課題を解決するための手段】
上記目的を達成するため、本発明の１つの態様によれば、比重の重い可燃性冷媒あるいは、可燃性冷媒を主成分とした冷媒を用いた可燃性冷媒空気調和機の冷媒漏洩検知装置において、室内機の吹出口に設置した第１の冷媒漏洩検知手段と、室内機下方の床面等に設置し、前記第１の冷媒漏洩検知手段と同等の検知ガス規定量を設定した第２の冷媒漏洩検知手段と、前記第１及び第２冷媒漏洩検知手段からの検知信号を受信する受信手段を有し、前記第１及び第２冷媒漏洩検知手段における検知ガス量が規定量を上回ったときに送信する検知信号に基づいて、冷媒漏洩の発生を警告する冷媒漏洩警報手段が、空気調和機の使用空間に設置されることを特徴とする可燃性冷媒空気調和機の冷媒漏洩検知装置が提供される。これにより、誤動作や不作動を低減し、安全な可燃性冷媒空気調和機の冷媒漏洩検知装置が実現される。
【０００７】
好適な一例では、一方の漏洩検知手段が冷媒の漏洩を検知し、他方の漏洩検知手段が冷媒漏洩を検知していない場合に、前記一方の漏洩検知手段が検知した漏洩ガス積算量が既定値以上に達したとき、もしくは既定時間以上ガスを検知した時に検知信号を発信し、冷媒漏洩警報手段を作動させる。これにより、安全性がより向上する。
【０００８】
また、他の好適な一例では、前記第１の冷媒漏洩検知手段が検知信号を送信する漏洩ガス規定量を可変にする。これにより、誤作動が低減する。
【０００９】
【発明の実施の形態】
以下、本発明に係わる可燃性冷媒空気調和機の冷媒漏洩検知装置の第１実施形態について添付図面を参照して説明する。
【００１０】
図１は本発明に係わる可燃性冷媒空気調和機の冷媒漏洩検知装置の第１実施形態の概念図である。
【００１１】
図１に示すように、本発明の第１実施形態の可燃性冷媒空気調和機の冷媒漏洩検知装置１は、室内機２及びその近傍に設けられて使用されるものであり、室内機２は室内熱交換器３及び送風機４を筐体５に収容してなる。
【００１２】
冷媒漏洩検知装置１は、室内機２の吹出口２ａに設置した第１の冷媒漏洩検知手段６と、室内機２の下方の床面７等に設置され、第１の冷媒漏洩検知手段６と同等の検知ガス規定量に設定した第２の冷媒漏洩検知手段８と、第１冷媒漏洩検知手段６及び第２冷媒漏洩検知手段８からの検知信号を受信する受信手段９を有している。さらに、この受信手段９は、可燃性冷媒空気調和機の全体を制御する制御手段（図示せず）に接続され、受信手段９からの冷媒漏洩検知信号に基づき、空気調和機の使用空間である筐体５内に設けられ赤色灯が点灯あるいは警報を発する冷媒漏洩警報手段１０を作動させるようになっている。なお、冷媒漏洩警報手段１０は空気調和機の使用空間である被空調室の壁面、床等に取付けられてもよい。
【００１３】
また、第１の冷媒漏洩検知手段の検知ガス規定量を可変にすることにより、室内機２の近傍に可燃性ガス発生装置が設置されている場合は、第１の冷媒漏洩検知手段の検知ガス規定量が高めに設定でき、第１の冷媒漏洩検知手段が可燃性ガス発生装置から発生する可燃性ガスを検知して送信する検知信号による誤作動を低減することができる。
【００１４】
次に本第１実施形態の可燃性冷媒空気調和機の冷媒漏洩検知装置の作用について説明する。
【００１５】
通常、空気調和機が作動しているときに室内熱交換器３から冷媒が漏洩した場合、漏洩冷媒は送風機４からの送風によって吹出口２ａから放出される。吹出口２ａから放出された漏洩冷媒は比重が重いため、その後床面７に滞留する。また、空気調和機の作動時、室内熱交換器３から冷媒が漏洩した場合、吹出口３ａに設置された第１冷媒漏洩検知手段６が漏洩冷媒を検知し、ガス量が規定値に達したときに受信手段９に冷媒漏洩検知信号を送信する。さらに、床面７に設置した第２の冷媒漏洩検知手段８も吹出口３ａに設置された第１冷媒漏洩検知手段６と同様に受信手段９に信号を送信する。
【００１６】
このように第１冷媒漏洩検知手段６及び第２の冷媒漏洩検知手段８からの漏洩検知信号を共に受信した受信手段９を介して制御手段は冷媒漏洩警報手段１０を作動させ、使用者に冷媒の漏洩を知らせる。
【００１７】
本実施形態によれば、吹出口３ａに第１冷媒漏洩検知手段６及び床面７に第２の冷媒漏洩検知手段８が設置されているので、室内機２の近傍に他の可燃性ガス発生装置が設置されても第１冷媒漏洩検知手段６が他の可燃性ガス発生装置から発生したガスを検知することがなく、誤作動を生じるおそれがなく、さらに、室内熱交換器３から漏洩した冷媒が、筐体５の吸込口２ａや前面パネルとの隙間から漏洩しても、第２の冷媒漏洩検知手段８が冷媒漏洩を確実に検知するので安全である。また、第１冷媒漏洩検知手段６と第２の冷媒漏洩検知手段８が離間して配置されているので、周辺機器のノイズにより両冷媒漏洩検知手段６、８が同時に誤作動する可能性も小さく、安全性が向上する。
【００１８】
次に本発明に係わる可燃性冷媒空気調和機の冷媒漏洩検知装置の第２実施形態について説明する。
【００１９】
上記第１実施形態は、第１冷媒漏洩検知手段及び第２の冷媒漏洩検知手段が検知ガス規定量を検出したときに冷媒漏洩警報手段を作動させるのに対して、本第２実施形態は、一方の漏洩検知手段が冷媒の漏洩を検知し、他方の漏洩検知手段が冷媒漏洩を検知していない場合に、一方の漏洩検知手段が検知した漏洩ガス積算量が既定値以上に達したとき、もしくは既定時間以上ガスを検知した時に検知信号を発信し、冷媒漏洩警報手段を作動させるものである。
【００２０】
上記第１実施形態の概念図である図１を用いて、本第２実施形態を説明すれば、筐体５の吹出口２ａに設置された一方例えば第１の冷媒漏洩検知手段６が冷媒漏洩を検知、冷媒ガス量が規定値に達し、受信手段９へ信号を送信した後、他方例えば床面に設置した第２の冷媒漏洩検知手段８が冷媒の漏洩を検知せずに検知信号を送信しない場合、第１の冷媒漏洩検知手段６は漏洩ガスの積算量をとり、積算量が規定値以上に達した場合、もしくはガス検知時間が規定時間以上に達した場合に再び受信手段９へ信号を送信する。この信号を受信した受信手段９は、制御手段を介して、冷媒漏洩警報手段１０を作動させて、使用者に冷媒の漏洩を知らせるので安全が確保される。従って、第２の冷媒漏洩検知手段８の故障もしくは吹出口２ａから漏洩冷媒が拡散することにより、床面等に設置した第２の冷媒漏洩検知手段８が冷媒の漏洩を検知することが不可能な状態においても、第１の冷媒漏洩検知手段６により、冷媒の漏洩を検知し、使用者に冷媒の漏洩を知らせることが可能となり、安全である。
【００２１】
なお、上記第２実施形態では冷媒の漏洩を第１の冷媒漏洩手段のみで検知した場合を例示したが、逆に第１の冷媒漏洩検知手段が検知せず、第２の冷媒検知手段のみが検知した場合にも、冷媒漏洩警報手段を作動させて、使用者に冷媒の漏洩を知らせることで安全が確保される。
【００２２】
【発明の効果】
本発明に係わる可燃性冷媒空気調和機の冷媒漏洩検知装置によれば、誤動作や不作動を低減し、安全な可燃性冷媒空気調和機の冷媒漏洩検知装置を提供することができる。
【図面の簡単な説明】
【図１】本発明に係わる可燃性冷媒空気調和機の冷媒漏洩検知装置を使用した室内機の概念図。
【符号の説明】
１…冷媒漏洩検知装置、２…室内機、２ａ…吹出口、３…室内熱交換器、４…送風機、５…筐体、６…第１の冷媒漏洩検知手段、７…床面、８…第２の冷媒漏洩検知手段、９…受信手段、１０…冷媒漏洩警報手段。
【図１】
2005016822.tif 000003